(57)【特許請求の範囲】
【請求項１】
浴槽内へ向けて浴湯を噴出する吐出口に対して、空気取入れ口を空気供給管にて連通させた気泡発生浴槽において、通水路としての接続管が取付け可能な接続管固定部を前記空気取入れ口に設けた事を特徴とする浴槽用気泡発生装置。
【請求項２】
前記接続管固定部は、前記空気取入れ口に対して着脱可能である事を特徴とする請求項１記載の浴槽用気泡発生装置。
【請求項３】
前記接続管固定部は、未使用時に逆さにされることにより接続管が取付けられる部分を空気取入れ口内へ挿入可能としたことを特徴とする請求項２記載の浴槽用気泡発生装置。
【請求項４】
前記接続管固定部は、接続管が取付けられる部分を空気取入れ口内へ挿入時に、空気取入れ口の空気吸込み音を低減するベルマウス形状となることを特徴とする請求項３記載の浴槽用気泡発生装置。
【請求項５】
前記接続管固定部と前記接続管とを収納するカバーを前記空気取入れ口に設けたことを特徴とする請求項１記載の浴槽用気泡発生装置。
【発明の詳細な説明】
【０００１】
【発明の属する技術分野】
本発明は浴槽用気泡発生装置に係り、特に空気取入れ口及び空気供給管の洗浄に好適な洗浄を実施することができる空気取入れ口の構成に関する。
【０００２】
【従来の技術】
従来の浴槽用気泡発生装置は、浴槽内に気泡を発生させる為、浴槽裏面側壁に空気供給管を配設し浴槽に形成された吐出口と連通させイジェクタ効果で空気を吸引し浴槽内に気泡を発生させているが、気泡発生浴槽非運転時は、浴槽水の水面より下に位置する空気取入れ口及び、空気供給管に浴槽水が吐出口より逆流している為、空気取入れ口及び、空気供給管に湯垢が付着し、運転すると逆流して空気取入れ口及び、空気供給管に溜まっていた浴槽水と同時に浴槽内に、湯垢が流出していた。
【０００３】
【発明が解決しようとする課題】
従来の浴槽用気泡発生装置では、空気取入れ口及び、空気供給管内に湯垢が付着し気泡発生浴槽運転時に、浴槽水と同時に湯垢が浴槽内に流出する場合がある。
【０００４】
また、空気取入れ口及び、空気供給管内に水を循環させる事もできない為、洗浄剤を浴槽内に投入し循環洗浄する事ができない。
【０００５】
本発明は、上記課題を解決するためになされたもので、本発明の目的は、水を循環させ空気取入れ口及び、空気供給管内を循環洗浄する事ができない気泡発生浴槽の空気取入れ口及び、空気供給管内を容易に洗浄する事ができる空気取入れ口を有する浴槽用気泡発生装置を提供することにある。
【０００６】
【課題を解決するための手段及び作用・効果】
上記目的を達成するために請求項１に記載の発明は、浴槽内へ向けて浴湯を噴出する吐出口に対して、空気取入れ口を空気供給管にて連通させた気泡発生浴槽において、通水路としての接続管が取付け可能な接続管固定部を前記空気取入れ口に設けた事を特徴とする。
このように、接続管が取付け可能な接続管固定部を空気取入れ口に設ける事で、接続管固定部に接続管を連結し、接続管の片方を浴槽内に入れ、浴槽に水を張った状態で気泡発生浴槽を運転する事で、接続管より浴槽水が吸込まれ空気取入れ口及び空気供給管内に浴槽水を循環させる事で、今まで洗浄する事のできなかった空気取入れ口及び空気供給管内を循環洗浄する事ができる。
【０００７】
請求項２は、前記接続管固定部は、前記空気取入れ口に対して着脱可能である事を特徴とする。従って、入浴時又は、気泡発生浴槽運転時は、取り外しす事が可能な為、浴槽フランジ部との凹凸がなくなることから、安全で克つ意匠性が良い。
【０００８】
請求項３は、前記接続管固定部は、未使用時に逆さにされることにより接続管が取付けられる部分を空気取入れ口内へ挿入可能としたことを特徴とする。従って、未使用時は逆さに取付ける事で高さを抑えられるので意匠性が良い事は言うまでもなく、入浴時又は、気泡発生浴槽運転時に取り外して保管しておく必要がなくなる。
【０００９】
請求項４は、前記接続管固定部は、接続管が取付けられる部分を空気取入れ口内へ挿入時に、空気取入れ口の空気吸込み音を低減するベルマウス形状となることを特徴とした。従って、入浴時又は、気泡発生浴槽運転時は請求項３で記載した様に、逆さに取付ける事でベルマウス形状の部分で空気吸込み音を低減する事ができ、快適な入浴ができる。
【００１０】
請求項５は、前記接続管固定部と前記接続管とを収納するカバーを前記空気取入れ口に設けたことを特徴とした。従って、入浴時又は、気泡発生浴槽運転時には、接続管固定部及び接続管固定部に取付ける事のできる接続管が空気吸込み口のカバーに収納できる為、取り外して保管しておく必要がなくなる。
【００１１】
【発明の実施の形態】
第１図を用いて浴槽用気泡発生装置として、装置の構成要素が浴槽に固定された気泡発生浴槽を例にとり、空気供給管内と空気取入れ口内を洗浄する事のできる接続管が取付け可能な接続管固定部を空気取入れ口に設けた事を特徴とする気泡発生浴槽について説明する。
【００１２】
浴槽内に気泡を発生させる為、浴槽裏面側壁に空気供給管１を配設し浴槽に形成された吐出口２と連通させ、ポンプを用いて、浴槽水を吸込み口３より吸込み、浴槽水循環経路となる配管４を通して循環させ、イジェクタ効果にて空気取入れ口５より空気を吸引し浴槽内に気泡を発生させている気泡発生浴槽は、入浴中の気泡発生浴槽非運転時は、浴槽に形成された吐出口２より浴槽水が、空気供給管２及び、空気取入れ口５内に、浴槽内の浴槽水水面の高さまで逆流する為、空気供給管１内及び、空気取入れ口５内には多量の湯垢が付着し、気泡発生浴槽運転時に空気供給管１及び、空気取入れ口５内に浴槽水水面の高さまで逆流した浴槽水と同時に湯垢が浴槽内に流出していた。
【００１３】
また、空気供給管１及び、空気取入れ口５内は、イジェクタ効果にて空気取入れ口５より空気を吸引している事から、浴槽水循環経路となる配管４の様に、浴槽水を貯めた浴槽内に配管洗浄用の洗剤を投入し気泡発生浴槽を運転する事で洗剤を混入した浴槽水を循環させる循環洗浄はできない。
【００１４】
そこで、接続管６が取付け可能な接続管固定部７を空気取入れ口５に設ける事で、接続管固定部７に接続管６又は、管路を接続し、片方を浴槽水を貯めた浴槽の水面下に配置し浴槽水を循環させる循環経路とし気泡発生浴槽を運転すると、空気取入れ口５より浴槽水が吸引され、空気供給管１及び、空気取入れ口５内に浴槽水を循環させる事ができ空気供給管１及び、空気取入れ口５内を循環洗浄する事ができる。
空気吸込み口が、浴室外に設置されている場合でも、接続管を延長する事で同様の効果を得る事ができる。
接続管固定部７の上部には、接続管６との嵌め合いを良好にする為、帯状に凸部８を設けても良い。
【００１５】
浴槽水を貯めた浴槽内に配管洗浄用の洗剤を投入し循環させる事で、更に効率の良い洗浄を行う事ができる。
【００１６】
図２を用いて空気取入れ口に設けられた接続管が取付け可能な接続管固定部が着脱可能になっている事を特徴とした気泡発生浴槽について説明する。
【００１７】
空気吸込み口５が浴槽フランジ部９に設けられている場合、接続管が取付け可能な接続管固定部１０は浴槽フランジ部９より高さ方向に出っ張っている為、入浴中に体を接触させ転倒し体を痛める事も考えられる。
【００１８】
そこで、接続管が取付け可能な接続管固定部１０を着脱可能する事で、入浴時又は、気泡発生浴槽運転時は接続管固定部１０を取外して、通常の空気取入れ口５として使用する。
また、浴槽フランジ部との凹凸がなくなり意匠性もよくなる。
接続管固定部１０の上下部にＯリング部１１を設ける事で、接続管６及び空気取入れ口５との嵌め合いを良好にする構造にしても良い。
【００１９】
図３を用いて空気取入れ口に設けられた接続管が取付け可能な接続管固定部が着脱可能であり、更に未使用時は逆さに取付ける事で高さを抑えられることを特徴とした気泡発生浴槽について説明する。
【００２０】
前記記載の接続管が取付け可能な接続管固定部１２は、着脱可能にする事で浴槽フランジ部との凹凸がなくなり体をぶつける事もなく、高さを抑えられるが、浴槽入浴中又は、気泡発生浴槽運転時は接続管が取付け可能な接続管固定部１２を取外して、通常の空気取入れ口５として使用する為、取外した接続管が取付け可能な接続管固定部１２は、保管しておく必要があり、不注意で紛失することが考えられる。
【００２１】
そこで、接続管が取付け可能な接続管固定部１２未使用時は、空気取入れ口５に逆さに取付ける事で、取外した接続管が取付け可能な接続管固定部１２は、保管しておく必要がなく、同時に接続管が取付け可能な接続管固定部１２の高さを抑えられる事ができる。
接続管が取付け可能な接続管固定部１２及び、空気取入れ口５にフランジ部１３を設け、嵌合させる事で意匠性もよくなる。
【００２２】
図４を用いて空気取入れ口に設けられた接続管が取付け可能な接続管固定部が、気泡発生浴槽運転時は、空気取入れ口の空気吸込み音を低減するベルマウスとして使用できる事を特徴とした気泡発生浴槽について説明する。
【００２３】
前記記載の接続管が取付け可能な接続管固定部１４を、入浴時又は、気泡発生浴槽運転時は、図３で説明した様に逆さに取付けて通常の空気吸込み口５として使用する。
更に、接続管が取付け可能な接続管固定部１４の逆さに取付けた際に上になる部分をベルマウス形状にし、空気吸込み口５より吸込まれる空気を清流する事で、気泡発生浴槽の空気吸込み音を低減する事ができる。
接続管が取付け可能な接続管固定部１４には、位置あわせる為に位置合わせ凸部１５を設ける事で、円周方向に動く事なく固定する事ができる。
【００２４】
図５を用いて空気取入れ口に設けられた接続管が取付け可能な接続管固定部及び接続管固定部に取付ける事のできる接続管が空気取入れ口のカバーに収納できる事を特徴とした気泡発生浴槽について説明する。
【００２５】
前記記載の接続管が取付け可能な接続管固定部１６は、図３、図４で説明した様に、入浴時及び、気泡発生浴槽運転時は逆さに取付ける事で収納する事ができるが、空気供給管内及び、空気吸込み口内を洗浄する際に管路となる接続管は、気泡発生浴槽運転時は、保管しておく必要がある。
【００２６】
そこで、空気吸込み口５を覆う円柱状のカバー１７に、接続管６及び、接続管が取付け可能な接続管固定部１６を収納する事で、取り外して保管する事での接続管６及び、接続管が取付け可能な接続管固定部１６を紛失する事がなくなる。空気吸込み口５を覆う円柱状のカバー１７は爪部１８を設け、嵌合させて取付ける事で取り外しが自在にする事ができる。
接続管６及び接続管が取付け可能な接続管固定部１６の収納方法として、接続管６は空気吸込み口５を覆う円柱状のカバー１７の裏面側壁周囲に這わせて巻き付けておくと良い、また、接続管が取付け可能な接続管固定部１６は円柱状のカバー１７の上部裏面に爪部１９を設けて、嵌合させて取付ける。
【図面の簡単な説明】
【図１】  本発明の空気吸込み口に設けられた及び接続管を示す側断面図である。
【図２】  本発明の空気吸込み口に設けられた着脱可能な接続管固定部を示す斜図である。
【図３】  本発明の空気吸込み口に設けられた着脱可能で克つ逆さに取付けられる接続管固定部を示す斜図である。
【図４】  本発明の空気吸込み口に設けられた着脱可能で克つ逆さに取付けられるベルマウス形状を有する接続管固定部を示す斜図である。
【図５】  本発明の空気吸込み口に設けられた着脱可能な接続管固定部及び接続管を収納する事のできる空気吸込み口カバーを示す側断面図である。
【符号の説明】
１：空気供給管
２：吐出口
３：吸込み口
４：浴槽水循環経路となる配管
５：空気取入れ口
６：接続管
７：接続管固定部
８：凸部
９：浴槽フランジ部
１０：（着脱可能な）接続管固定部
１１：Ｏリング部
１２：（着脱可能であり逆さに取付ける事ができる）接続管固定部
１３：フランジ部
１４：（着脱可能でありベルマウス形状を有する）接続管固定部
１５：位置合わせ凸部
１６：（着脱可能であり空気取入れ口のカバーに収納できる）接続管固定部
１７：円柱状のカバー
１８：爪部
１９：円柱状のカバーの上部裏面の爪部
【図１】
0004356102.tif 000002
【図２】
0004356102.tif 000003
【図３】
0004356102.tif 000004
【図４】
0004356102.tif 000005
【図５】
0004356102.tif 000006